(57)【特許請求の範囲】
【請求項１】
胴部(2)上端の開口部に、外鍔状にフランジ(4)を連接したカップ状の合成樹脂製容器本体(1)と、前記フランジ(4)上面に熱溶着された前記容器本体(1)の開口部を密封する密封シート(11)と、前記フランジ(4)に外嵌組付きして密封シート(11)を覆い隠す有頂筒状の蓋体(21)とから成り、
前記フランジ(4)上面の、該フランジ(4)の連設基端部に凹状周溝(5) を形成し、
前記蓋体(21)の頂壁(22)の下面の前記凹状周溝(5)に対向する位置に周突条(24)を垂下設し、
前記フランジ(4)上面に熱溶着する密封シート(11)が、前記凹状周溝(5)を橋渡し状に覆って橋渡し部分(11a)を形成し、
前記容器本体(1)のフランジ(4)に蓋体(21)を外嵌組付きした状態で、前記周突条(24)の先端部が、前記密封シート(11)の橋渡し部分(11a)が撓み変形可能に、該橋渡し部分(11a)に周接する構成とした蓋付きカップ状容器。
【請求項２】
請求項１に記載の蓋付きカップ状容器における合成樹脂製容器本体(1)に飲食品を充填密封してなる飲食品包装体。
【発明の詳細な説明】
【技術分野】
【０００１】
本発明は、カップ状をした容器本体の上端開口部を、アルミラミネートシート等のバリヤー性に優れた密封シートで溶着密閉し、容器本体の開口部に外嵌組付きした蓋体で、密封シートを覆い隠す蓋体付きカップ状容器およびそのカップ状容器を使用した飲食品包装体に関するものである。
【背景技術】
【０００２】
コーヒーや紅茶等の飲料では、近年、内容物の味や風味を良好に維持することができる無菌充填システムが採用されてきており、容器本体を上端に外鍔状のフランジを周設したカップ状とし、その開口部にフィルム状の密封シートを貼り付けるとともに、さらにこの密封シートを保護するためにその外側に、蓋体をフランジを利用して外嵌組付して装着した、蓋付きカップ状容器が一般的に使用される。
【０００３】
最近、この種の容器では蓋体に配設した開封可動片を利用して密封シートをワンタッチで切り開き、この蓋体に形成された飲み口から直接、内容物を飲むタイプの蓋付きカップ状容器が使用されている（例えば、特許文献１参照）。
【特許文献１】特開２００４−３５９３１４号公報
【発明の開示】
【発明が解決しようとする課題】
【０００４】
上記のような蓋付きカップ状容器では、一端、密封シートを開封可動片で切り開いた状態とすると、密封シートによる密閉性が開放されるので、容器を傾けて飲み口から直接内容物を飲む際、あるいは内容液が残った状態で持ち歩いたりする際に、内容液が密封シートの切り開き部分から密封シートの上面に回り込み、さらに密封シートを伝ってフランジと蓋体周縁部との嵌合部分から漏れてしまう恐れがある。そこで、従来はフランジの上面や側端面に突条を付設し、外嵌組付される蓋体の周縁部を周接させ、上記のような内容液の漏れを防ぐべくシールするようにしていた。
【０００５】
しかしながら、フランジと蓋体の周縁部と云うような、硬質の合成樹脂で形成される、いわば剛体間の当接によるシール方法では、容器本体や蓋体を成形する際の形状の精度の問題や、両者の嵌合による変形を十分吸収することができず、確実で安定したシール状態を得ることが困難であった。
【０００６】
そこで、本発明は上記した従来技術における蓋付きカップ状容器のシール性、特に密封シートを部分的に切り開いた後のシール性に係る問題を解消すべく創案されたもので、フランジと蓋体の周縁部のシールを、簡単な構造で、確実に安定的に達成することを技術的課題とし、内容物を飲む際等における液漏れの心配のない、安心して使用できる蓋付きカップ状容器を提供することを目的とする。また、本発明はこのような蓋付きカップ状容器を利用した飲食品包装体を提供することを目的とする。
【課題を解決するための手段】
【０００７】
上記技術的課題を解決する本発明の手段に係る主たる構成は、
胴部上端の開口部に外鍔状にフランジを連設したカップ状の合成樹脂製容器本体と、フランジ上面に熱溶着され容器本体の開口部を密封する密封シートと、フランジに外嵌組付きして密封シートを覆い隠す有頂筒状の蓋体とから成る蓋付きカップ状容器において、
フランジ上面の、このフランジの連設基端部に凹状周溝を形成し、
蓋体の頂壁の下面の凹状周溝に対向する位置に周突条を垂下設し、
フランジ上面に熱溶着する密封シートが、凹状周溝を橋渡し状に覆って橋渡し部分を形成し、
容器本体のフランジに蓋体を外嵌組付きした状態で、周突条の先端部が、密封シートの橋渡し部分が撓み変形可能に、この橋渡し部分に周接する構成とする、と云うものである。
【０００８】
上記構成によれば、使用時、一端、密封シートを開封可動片で切り開いて密封シートによる密閉性が開放された状態でも、蓋体をフランジに外嵌した状態としておくことにより、蓋体の頂壁の周縁部の下面から垂下設された周突条の先端部が密封シートの橋渡し部分に、この橋渡し部分が撓み変形するように周接して確実で安定したシール機能が発揮される。
【０００９】
ここで、密封シートは、凹状周溝の内周側部分と外周側部分でフランジの上面に周状に熱溶着した状態であり、凹状周溝の内側周縁部と外側周縁部で、すなわち両側を拘束された状態で凹状周溝を橋渡し状に覆っている。
そして、蓋体をフランジに外嵌する際に蓋体の周突条の先端部が密封シートの橋渡し部分に当接すると、密封シートはフィルム状であるのでこの橋渡し部分が凹状周溝の中で凹状に撓み変形することができ、この撓み変形により部材の成形精度に係る形状のバラツキや、蓋体のフランジへの嵌合による変形を十分吸収することができ、確実で安定したシール機能が発揮され、密封シートの開放後も、内容液の漏れを心配することなく安心して内容液を飲んだり、内容液が残った状態で持ち歩くことができる。
【００１０】
また、この種の容器を使用する製品の製造過程では、容器本体に内容液を充填し、フランジに密封シートを溶着して密閉後、蓋体をフランジに打栓状に、側壁をフランジの側端面を乗越えるようにして、アンダーカット状に外嵌するケースが多く、この際、大きな力が作用するが、このように大きな力が作用したときにも、密封シートの橋渡し部分の変形で十分吸収することができ、周突条と密封シートの橋渡し部分によるシール機能が損なわれることがない。
【００１２】
そして、凹状周溝をフランジの連設基端部に形成することにより、密封シートを開放した後の、フランジと蓋体との嵌合部への内容液の進入をフランジの連設基端部直近部分で阻止することができ、嵌合部からの内容液の漏れをより効果的に防ぐことができる。
【００１３】
また本発明は、以上に説明した本発明の蓋付きカップ状容器における合成樹脂製容器本体に飲食品を充填密封してなる飲食品包装体、である。
本発明の蓋付きカップ状容器は非常に利便性の高いものであるため、とくに内容液を飲食品とした場合にもっとも本発明のカップ状容器の効果を享受することができる。ここに飲食品の形態としては、いわゆる液状のものに限られるわけではなく、半液状、流動状、固液混合状のものもあり、これらを含めて内容液として合成樹脂製容器本体に収納する。
【発明の効果】
【００１４】
本発明の蓋付きカップ状容器および飲食品包装体は、上記した構成となっているので、以下に示す効果を奏する。
本発明の主たる構成を有するものにあっては、密封シートの橋渡し部分の撓み変形により部材の成形精度に係る形状のバラツキや、嵌合による変形を十分吸収することができ、確実で安定したシール機能が発揮され、密封シートの開放後も、内容液の漏れを心配することなく安心して内容液を飲んだり、内容液が残った状態で持ち歩くことができる。
【００１５】
また、アンダーカット状に組付け固定するために、蓋体をフランジに打栓状に外嵌する際には大きな力が作用するが、このように大きな力が作用したときにも、密封シートの橋渡し部分の撓み変形で十分吸収することができ、周突条と密封シートの橋渡し部分によるシール機能が損なわれることがない。
【００１６】
そして、凹状周溝をフランジ上面の連設基端部に形成することにより、密封シートを開放した後の、フランジと蓋体との嵌合部への内容液の進入をフランジの連設基端部直近部分で阻止することができ、嵌合部からの内容液の漏れをより効果的に防ぐことができる。
【発明を実施するための最良の形態】
【００１７】
以下、本発明の実施の形態を、実施例に沿って図面を参照しながら説明する。
図１〜４は本発明の蓋付きカップ状容器の一実施例を示し、図１は全体縦断面図、図２は平面図、図３は斜め上からみた斜視図、そして図４は図１中の円で囲った部分の要部拡大縦断面図である。なお、図１においては内容液の図示は省略しており、また内容液を図示する場合であっても特段の符号は付していない。
【００１８】
本発明による蓋付きカップ状容器は、容器本体１と密封シート１１と蓋体２１の３つの部材から構成される。
容器本体１は、合成樹脂射出成形品、合成樹脂製シートからの熱成形品、さらには合成樹脂発泡成形品等であり、薄肉のカップ状に成形されており、やや上方に拡径した円筒状の胴部２の上端に、外鍔状のフランジ４を連設している。
また、フランジ４の連設基端部には、凹状周溝５が周設されている。（図４参照）
【００１９】
密封シート１１は、アルミラミネートシート、合成樹脂製積層シート、さらには紙と合成樹脂との積層シート等で構成される。また少なくとも容器本体１のフランジ４の上面に対向する周縁部に、フランジ４との間に熱溶着性を有する合成樹脂材料製の熱溶着層が積層形成されている。
【００２０】
そして、この密封シート１１をフランジ４の上面に周状に熱溶着することにより容器本体１の上端開口部を密閉する。
ここで、密封シート１１は、凹状周溝５の内周側部分と外周側部分でフランジ４の上面に周状に熱溶着した状態であり、凹状周溝５の内側周縁部と外側周縁部で、すなわち両側を拘束された状態でこの凹状周溝５を橋渡し状に覆っている（図４中の橋渡し部分１１ａ参照）。
【００２１】
蓋体２１は、合成樹脂製の全体として概略有頂円筒状の薄肉成形品であり、頂壁２２の外周端縁からフランジ４に外嵌する短筒片状の側壁２３を垂下連設し、この側壁２３の内周面に、フランジ４の側端面の下端縁に乗り越え係止する係止片２６を設けた構成となっている。
また、後述するようにこの蓋体２１の頂壁２２には、使用時に密封シート１１をワンタッチで部分的に切り開くための、開封機構Ｐを一体設している。
【００２２】
また、蓋体２１の頂壁２２の下面の、上記凹状周溝５に対向する位置に周突条２４が突設されている。
【００２３】
そして、蓋体２１をフランジ４に外嵌する際に周突条２４の先端部が密封シート１１の橋渡し部分１１ａに当接すると、密封シート１１はフィルム状であるのでこの橋渡し部分１１ａが凹状周溝の中で凹状に撓み変形することができる。（図４参照、なお変形前の形状を図４中の２点鎖線で表している。）
【００２４】
この撓み変形により容器本体１や蓋体２１の成形精度に係る形状のバラツキや、蓋体２１のフランジ４への嵌合による変形を十分吸収することができ、確実で安定したシール機能が発揮され、密封シート１１の開放後も、内容液の漏れを心配することなく安心して内容液を飲んだり、持ち歩いたりすることができる。
【００２５】
また、この種の容器を使用する製品の製造過程では、容器本体１に内容液を充填し、フランジ４に密封シート１１を溶着して密閉後、蓋体２１をフランジ４に打栓状に、側壁２３に形成した係止片２６がフランジ４の側端面を乗り越えるようにして、その下端縁にアンダーカット状に外嵌するケースが多く、この際大きな力が作用するが、このように大きな力が作用したときにも、密封シート１１の橋渡し部分１１ａの変形で十分吸収することができ、周突条２４と密封シート１１の橋渡し部分１１ａによるシール機能が損なわれることがない。
【００２６】
次に、蓋体２１の頂壁２２に配設される開封機構Ｐについて説明する。
この開封機構Ｐを配設するため、頂壁２２の中央部にオーバーキャップ部３１を形成している。このオーバーキャップ部３１は密封シート１１に距離を隔てて対面する天面壁３１ａと、この天面壁３１ａの縁部に一体連結する周壁３１ｃからなり、天面壁３１ａの中央域には前方から後方にかけて径方向にこの天面壁３１ａを二分する区画凹所３１ｂが設けられている。
【００２７】
また、区画凹所３１ｂの前方には開口部３２が形成されている。
また、区画凹所３１ｂの前端部に付設するヒンジ部３５を介して、全体として矩形板状の開封可動片３３が、区画凹所３１ｂに水平な姿勢で一体設されている。
この開封可動片３３は刃部３３ａと、この刃部３３ａの後部につながる操作片３３ｂからなり、上記ヒンジ部３５を支点にして回動させることができるようになっている。
また、刃部３３ａには矩形状の窓孔３４が形成されており、開口部３２と共に、内容液の注出口、あるいは飲み口としての機能を発揮する。
【００２８】
容器を開封するには、開封可動片３３の操作片３３ｂの後端部に指を掛けて引き起こす。そうすると刃部３３ａは図５に示すようにヒンジ部３５を支点にして振り下ろされ開口部３２の直下において密封シート１１を押し切る。
密封シート１１を押し切って容器を開封した後は、図６に示すように開封可動片３３を初期姿勢（水平姿勢）に復帰させ、容器を傾けて内容液を注出したり、直接口を付けて内容液を飲むことができる。
【００２９】
以上、本発明の実施の形態とその作用効果を実施例に沿って説明したが、本発明の実施の形態は上記実施例に限定されるものではない。
【産業上の利用可能性】
【００３０】
以上説明したように、本発明の蓋付きカップ状容器は密封シートの開封後もフランジに外嵌する蓋体によりシール性を確実に安定して保持することができるものであり、飲料用等の分野での幅広い利用展開が期待できる
【図面の簡単な説明】
【００３１】
【図１】本発明の蓋付きカップ状容器の一実施の全体縦断面図である。
【図２】図１の容器の平面図である。
【図３】図１の容器の斜め上方からの斜視図である。
【図４】図１中の、円で囲った部分の要部拡大縦断面図である。
【図５】図１の容器における開封要領の説明図である。
【図６】図１の容器における内容液の注出状況を示す説明図である。
【符号の説明】
【００３２】
１  ；容器本体
２  ；胴部
３  ；底部
４  ；フランジ
５  ；凹状周溝
１１；密封シート
１１ａ；橋渡し部分
２１；蓋体
２２；頂壁
２３；側壁
２４；周突条
２６；係止片
３１；オーバーキャップ部
３１ａ；天面壁
３１ｂ；区画凹所
３１ｃ；周壁
３２；開口部
３３； 開封可動片
３３ａ；刃部
３３ｂ；操作片
３４；窓孔
３５；ヒンジ部
Ｐ  ；開封機構
【図１】
0005207173.tif 000002
【図２】
0005207173.tif 000003
【図３】
0005207173.tif 000004
【図４】
0005207173.tif 000005
【図５】
0005207173.tif 000006
【図６】
0005207173.tif 000007